(57)【特許請求の範囲】
【請求項１】
情報記録／再生装置に搭載され、情報記録ディスクを収納したカセットを設置面部にて保持して、記録／再生部における所定のローディング位置に移動させるためのトレイ体を備え、このトレイ体を外部位置から情報記録／再生装置内部のローディング方向へ引き込む構成の情報記録ディスク・ローディング装置において、前記トレイ体を引き込む方向に対して直交する方向における前記設置面部の下部に前記カセットの周縁の一方側を受ける一対の受け部を設け、さらに前記一対の受け部間に対向する上部に前記カセットの周縁の他方側を係止するフック部を設け、前記カセットの周縁の一方側を前記受け部によって受けた状態にて、前記カセットの周縁の他方側を前記フック部方向へ回動させ、この他方側を前記フック部により係止して、前記カセットを前記トレイ体に保持させることを可能にしたことを特徴とする情報記録ディスク・ローディング装置。
【請求項２】
前記受け部と前記フック部との少なくとも一方を、前記トレイ体の一部に一体に形成したことを特徴とする請求項１記載の情報記録ディスク・ローディング装置。
【請求項３】
情報記録／再生装置に搭載され、情報記録ディスク自体あるいは情報記録ディスクを収納したカセットを設置面部にて保持して、記録／再生部における所定のローディング位置に移動させるためのトレイ体を備え、前記トレイ体における設置面部のローディング方向側の一部に、前記トレイ体を引き込む方向に対して反対側に延出し、かつ前記カセットの一部が装着されるホルダ体を前記設置面部で回動可能に設け、前記トレイ体に対して上昇する方向に前記ホルダ体を付勢する付勢手段を有し、前記上昇する方向に付勢された前記ホルダ体に前記カセットを挿入した後、前記ホルダ体を回動させ、前記カセットを前記設置面部に載置し、前記トレイ体を外部位置から情報記録／再生装置内部のローディング方向へ引き込む構成の情報記録ディスク・ローディング装置において、前記トレイ体における前記設置面部よりローディング方向側に、前記ホルダ体を保持する格納部を設け、前記ホルダ体を前記設置面部と前記格納部間を移動可能に設置し、かつ前記ホルダ体を前記格納部で保持しているときに前記設置面部に延出しない状態に保持することを特徴とする情報記録ディスク・ローディング装置。
【発明の詳細な説明】
【０００１】
【発明の属する技術分野】
本発明は、光ディスクなどの情報記録ディスク自体あるいは情報記録ディスクを収納したカセットを保持して、記録／再生部における所定のローディング位置に移動させるためのトレイ体を備え、このトレイ体を外部位置から情報記録／再生装置に対してローディング方向へ引き込む構成の情報記録ディスク・ローディング装置に関する。
【０００２】
【従来の技術】
近年、パーソナル・コンピュータの周辺機器としてＣＤ−ＲＯＭを使用することが普及しており、さらに書き込みが可能なＣＤ−Ｒ，ＣＤ−ＲＷ，ＰＤなども市販されてきている。このようなＣＤ類の情報記録ディスクを使用することが可能な記録／再生装置におけるローディング方式には大別して２種類あり、その１つはディスク自体を直接ローディングする方式であり、他はカセット内にディスクを入れてカセットごとローディングする方式である。前者は使い勝手において優れ、また後者はディスク保護の面において優れている。このため現在では、ディスク自体を直接的に、またはカセットに収納した状態であっても、いずれに対しても使用することができる兼用ローディング方式が登場してきた。
【０００３】
図８は従来の兼用ローディング方式のディスク／カセット設置部分における構成を示す斜視図であり、本例では公知のようにディスク駆動部，ピックアップ部などを搭載した記録／再生装置１を縦置きにした状態を示しており、記録／再生装置１における前面側のディスク挿入口１ａに対して、ディスクあるいはカセットがセットされる設置面部２を一方側に有するトレイ体３が出入り可能に設置されている。
【０００４】
トレイ体３は、通常、図９（ａ），（ｂ）に示す引き込みの説明図のように、ローディング操作時、ユーザがトレイ体３を記録／再生装置１内方へ押すと、記録／再生装置１側に設けられたトレイ位置センサ４により、トレイ体３が、記録／再生装置１内部に所定長挿入されることが監視されている。そして、この検知によって記録／再生装置１側に設けられた引き込み機構が動作するため、図９（ｂ）に示すように、トレイ体３は記録／再生装置１内部へ引き込まれてローディング位置へ移動する。
【０００５】
図１０（ａ），（ｂ），（ｃ）はトレイ体３におけるカセット保持の説明図であり、図８にも示すように、設置面部２の奥側（記録／再生装置１側）のトレイ体３には、設置面部２に対して突出する方向へスプリング（図示せず）により付勢されている一対のロックレバー５が設置されている。
【０００６】
カセット６を設置面部２に装着するときには、ユーザは、図１０（ａ）に示すように、カセット６の一側部を斜め下にして、ロックレバー５を付勢力に抗して押すようにして、カセット６を設置面部２に入れ、図１０（ｂ）に示すように、カセット６の底面が設置面部２に接するように押していき、カセット６全体が設置面部２に嵌まるように収納する。すると、図１０（ｃ）に示すように、カセット６が設置面部２に完全に収納された状態では、カセット６はロックレバー５に押されてトレイ体３における前側壁部３ａに当接して保持されることになる。
【０００７】
そして、その後にユーザは、トレイ位置センサ４に検知されるまでトレイ体３を装置本体１内方へ押すことによって、前記のように引き込み機構によるトレイ体３の引き込みを開始させるようにする。
【０００８】
【発明が解決しようとする課題】
しかし、図８〜図１０に示す従来の兼用ローディング方式の構成では、カセット６を設置面部２に装着する際に、図１０（ｂ）に示すように、トレイ体３に設置されているロックレバー５をその付勢力に抗して押圧する必要があり、カセット６を設置面部２に完全に収納する前のロックレバー５を押圧しているときに、時としてトレイ体３を動かしてしまうことがある。そして、トレイ位置センサ４による検知位置までトレイ体３が移動してしまうと、トレイ位置センサ４による検知によって記録／再生装置１側に設けられた引き込み機構が動作して、不完全な収納状態にあるカセット６を引き込んでしまうというトラブルが発生する。
【０００９】
このような誤動作を防止するため、従来では、カセット６のセット途中で、トレイ体３が不用意に過度に移動して、意図しない引き込みが行われることを防止するため、引き込みのための必要荷重をかなり重くせざるを得なかった。このため前記セット時における操作性が必ずしも軽快ではないという問題があった。
【００１０】
本発明の目的は、前記従来の問題を解決し、ディスク／カセットのセットが容易であり、所定内部への引き込みが確実でかつ軽快に行え、操作性に優れた情報記録ディスク・ローディング装置を提供することにある。
【００１１】
【課題を解決するための手段】
前記目的を達成するため、本発明は、情報記録／再生装置に搭載され、情報記録ディスクを収納したカセットを設置面部にて保持して、記録／再生部における所定のローディング位置に移動させるためのトレイ体を備え、このトレイ体を外部位置から情報記録／再生装置内部のローディング方向へ引き込む構成の情報記録ディスク・ローディング装置において、前記トレイ体を引き込む方向に対して直交する方向における前記設置面部の下部に前記カセットの周縁の一方側を受ける一対の受け部を設け、さらに前記一対の受け部間に対向する上部に前記カセットの周縁の他方側を係止するフック部を設け、前記カセットの周縁の一方側を前記受け部によって受けた状態にて、前記カセットの周縁の他方側を前記フック部方向へ回動させ、この他方側を前記フック部により係止して、前記カセットを前記トレイ体に保持させることを可能にしたことを特徴とし、この構成によって、トレイ体の設置面部へのカセットの挿入方向（セット方向）がトレイ体を引き込む方向に対して直交する方向であるため、挿入のための力が引き込みに影響しないため、従来のように、セット途中に、トレイ体が不用意に過度に移動して引き込みが行われないようにするための負荷荷重を重くしておく必要がなくなって、その荷重を小さくすることができ、ユーザのトレイ体押し込みのための操作力が軽減される。しかも、セット状態においてカセットは、受け部とフック部とによって確実にトレイ体に保持されるため、脱落するようなことはない。
【００１２】
また本発明は、前記受け部とフック部との少なくとも一方を、トレイ体の一部に一体に形成したことを特徴とし、この構成によって、部品点数を削減することができ、製造コスト，組立コストを低減させることが可能になる。
【００１３】
また本発明は、情報記録／再生装置に搭載され、情報記録ディスク自体あるいは情報記録ディスクを収納したカセットを設置面部にて保持して、記録／再生部における所定のローディング位置に移動させるためのトレイ体を備え、前記トレイ体における設置面部のローディング方向側の一部に、前記トレイ体を引き込む方向に対して反対側に延出し、かつ前記カセットの一部が装着されるホルダ体を前記設置面部で回動可能に設け、前記トレイ体に対して上昇する方向に前記ホルダ体を付勢する付勢手段を有し、前記上昇する方向に付勢された前記ホルダ体に前記カセットを挿入した後、前記ホルダ体を回動させ、前記カセットを前記設置面部に載置し、前記トレイ体を外部位置から情報記録／再生装置内部のローディング方向へ引き込む構成の情報記録ディスク・ローディング装置において、前記トレイ体における前記設置面部よりローディング方向側に、前記ホルダ体を保持する格納部を設け、前記ホルダ体を前記設置面部と前記格納部間を移動可能に設置し、かつ前記ホルダ体を前記格納部で保持しているときに前記設置面部に延出しない状態に保持することを特徴とし、この構成によって、ホルダ体を設置面部に対して立ち上げた状態で、そのホルダ体へ情報記録ディスクあるいはカセットを挿入（セット）することができ、この挿入方向はトレイ体を引き込む方向に対して直交する方向であるため、挿入のための力が引き込みに影響しないため、従来のように、セット途中に、トレイ体が不用意に過度に移動して引き込みが行われないようにするための負荷荷重を重くする必要がなくなって、荷重を小さくすることができ、ユーザのトレイ体押し込みのための操作力が軽減される。さらに、情報記録ディスクあるいはカセットのセット時には、ホルダ体が付勢力を受けて回動して、セット可能状態になってセットを容易にする。また必要時にのみホルダ体を格納状態から動かして使用することができ、使い勝手に優れたものになる。
【００１７】
【発明の実施の形態】
以下、本発明の好適な実施形態について図面を参照しながら説明する。なお、図８〜図１０に基づいて説明した部材に対応する部材には同一符号を付して詳しい説明は省略する。
【００１８】
図１は本発明の第１実施形態を説明するための情報記録ディスク・ローディング装置における要部を示す斜視図であり、搭載される記録／再生装置１側の構成は公知のようにディスク駆動部，ピックアップ部などを搭載したものであって、図示した状態は記録／再生装置１を縦置きした状態を示している。記録／再生装置１における前面側のディスク挿入口１ａに対して、カセットがセットされる設置面部２を一方側に有するトレイ体３が出入り可能に設置されている。
【００１９】
トレイ体３は、公知のようにユーザが記録／再生装置１内方へ所定長さ押し込まれると、既に説明したように記録／再生装置１側に設けられた引き込み機構を始動して記録／再生装置１内部へ引き込まれて（矢印Ａ方向）、ローディング位置へ移動されるようになっている。
【００２０】
トレイ体３には、その設置面部２における周壁下部１１ａに、一対の受け爪部１２が一体成形されており、周壁下部１１ａに対向する周壁上部１１ｂに、弾性かつ可撓性を有するフック部１３が、一対の受け爪部１２間部分に対向するように一体成形され、さらに引き込み方向Ａとは逆方向における周壁前部１１ｃを切り欠くようにしてアーチ状の窓部１４が形成されている。
【００２１】
図２（ａ），（ｂ）は、前記構成の第１実施形態におけるトレイ体３にカセット６をセットする作業を、トレイ体３を縦に断面した状態で示した説明図であり、セットに際して図２（ａ）に示すように、カセット６を斜めにしてその下側縁６ａを、トレイ体３の周壁下部１１ａにおける受け爪部１２に挿入し、設置面部２側にカセット６を倒すように回動させる。そして、周壁上部１１ｂにおけるフック部１３を撓めながらカセット６の上側縁６ｂを係止させる。この状態では、図２（ｂ）に示すように、カセット６はトレイ体３の設置面部２において受け爪部１２とフック部１３によって保持される。
【００２２】
セット完了後、トレイ体３を記録／再生装置１内方へ押すことによって、前記のように引き込み機構によるトレイ体３の引き込みを開始させることができる。
【００２３】
このように第１実施形態では、トレイ体３の設置面部２にカセットをセットするための挿入方向が、トレイ体３を引き込む方向Ａに対して直交する方向になるため、挿入のための力が引き込みに影響しない。このため、従来のように、セット途中において、トレイ体３が不用意に過度に移動して引き込みが行われないようにするための負荷荷重を重くするようなことは必要なくなり、したがって、ユーザのトレイ体３を押し込むための操作力を軽減することができる。しかも、セット状態においてカセット６は、受け爪部１２とフック部１３とによって確実にトレイ体３に保持されるため、脱落するようなことはない。
【００２４】
また、イジェクトに際して、トレイ体３からカセット６を取り外すときには、受け爪部１２とフック部１３によってカセット６が係止されていても、窓部１４が形成されているため、ユーザの指あるいは適当な治具をその窓部１４から入れて、カセット６の一部を掴み上げるようにすることができるため、カセット取り外しが容易に行える。
【００２５】
図３は本発明の第２実施形態を説明するための情報記録ディスク・ローディング装置における要部を示す斜視図であり、この第２実施形態において前記第１実施形態と異なる点は、トレイ体３において、その設置面部２における周壁上部１１ｂのみならず、周壁下部１１ａにも一対の弾性かつ可撓性を有するフック部１５を一体成形した構成である。
【００２６】
図４は本発明の第３実施形態を説明するための情報記録ディスク・ローディング装置における要部を示す側面図、図５は図４に示す情報記録ディスク・ローディング装置の平面図であり、この第３実施形態のトレイ体３には、その設置面部２における奥側（ローディング方向Ａ側）に、開口部２０ａがローディング方向Ａと逆を向くように、ホルダ体２０が回動可能に設けられている。
【００２７】
ホルダ体２０の奥側には、例えば図５に示すように、カセット６のシャッタの開閉を行うシャッタ・オープナー２１などのローディング機構における構成部材の動作に干渉しないように、両側隅部にカセット６の角部が当接する位置のみに略Ｌ字状のストッパ体２２が設けられている。さらにホルダ体２０はトレイ体３の奥側基部に格納部３ａが設けられており、この格納位置ではホルダ体２０が設置面部２に延出しない状態に格納部３ａに保持される。
【００２８】
さらに、ホルダ体２０の回動支軸２３には、ホルダ体２０を設置面部２側から離れる方向へ付勢している捩りバネ２４が設けられている。また、引き込み方向Ａと逆方向のトレイ体３に形成されたアーチ状の窓部１４の近傍における周壁前部１１ｃにはフック部２５が一体成形されている。
【００２９】
図６は図４におけるホルダ体部分を示す拡大図であり、２６は回動支軸２３の移動をガイドする横溝、２６ａ，２６ｂは、横溝２６の両端部に形成されて、回動支軸２３を位置決め係止するためのくびれ部、２７は、横溝２６に沿って設けられ、捩りバネ２４におけるホルダ体２０と係止する一方端２４ａとは反対側の端部２４ｂに係接して上方移動を押さえるための横長の押さえ突起である。
【００３０】
図７（ａ）〜（ｄ）は、前記構成の第３実施形態におけるトレイ体３にカセット６をセットする作業の説明図であり、図７（ａ）はホルダ体２０が格納位置にある状態を示しており、図６を参照すれば、ホルダ体２０の回動支軸２３は横溝２６の奥側のくびれ部２６ａ部分に係止され、かつ捩りバネ２４の端部２４ｂが押さえ突起２７の下部に入り込んで押さえ込まれた状態になっている。したがって、捩りバネ２４の付勢力はホルダ体２０に加わらず、ホルダ体２０は格納部３ａにおいて保持される。
【００３１】
そして、セットに際しては、ホルダ体２０を図７（ａ）に示す格納部３ａにおける格納位置から図７（ｂ）に示す設置面部２へ引き出す。このとき、ホルダ体２０の回動支軸２３は横溝２６を右方へ摺動し、同様に捩りバネ２４の端部２４ｂが押さえ突起２７の下方を移動して、回動支軸２３が横溝２６の反対側のくびれ部２６ｂに達したときに、捩りバネ２４の端部２４ｂが押さえ突起２７から外れ、ホルダ体２０に対して回動支軸２３を中心にして反時計方向へ回動させる付勢力を与える。そして、この回動によって開口部２０ａが上方を向く。
【００３２】
この状態においてカセット６の一方側６ａを開口部２０ａに挿入し、図７（ｃ）に示すように、内部のストッパ体２２に当接するまで挿入する。その後、カセット６の他方側６ｂを下降させると、カセット６は回動支軸２３を中心にしてホルダ体２０と共に時計方向へ回動する。そして、フック部２５を撓めながらカセット６の他方側６ｂを係止させる。この状態では、図７（ｄ）に示すように、カセット６はトレイ体３の設置面部２においてホルダ体２０とフック部２５によって保持される。
【００３３】
セット完了後、トレイ体３を記録／再生装置１内方へ押すことによって、前記と同様に引き込み機構によるトレイ体３の引き込みを開始させることができる。
【００３４】
このように第３実施形態では、トレイ体３の設置面部２にカセット（情報記録ディスク単体でもよい）をセットするためのホルダ体２０の開口部２０ａに対する挿入方向は、図７（ｂ），（ｃ）に示すように、トレイ体３を引き込む方向Ａと一致していないため、挿入のための力が引き込みに影響しないようにすることができる。このため、第１実施形態と同様に従来のように、トレイ体３が不用意に過度に移動して引き込みが行われないようにするための負荷荷重を重くするようなことは必要なくなり、したがって、ユーザのトレイ体３を押し込むための操作力を軽減することができる。しかも、セット状態においてカセット６は、ホルダ体２０とフック部２５とによって確実にトレイ体３に保持されるため、脱落するようなことはない。
【００３５】
また、イジェクトに際して、トレイ体３からカセット６を取り外すときには、ホルダ体２０とフック部２５によってカセット６が係止されていても、窓部１４が形成されているため、ユーザの指あるいは適当な治具をその窓部１４から入れて、カセット６の一部を掴み上げるようにすることができるため、カセット取り外しが容易に行える。
【００３６】
また、第３実施形態においては、記録／再生装置１が縦置き状態にあるときのみ、ホルダ体２０を使用してカセット６のセットを行い、横置き状態ではホルダ体２０を格納部３ａに保持しておき、設置面部２にカセット６を直接挿入してセットすることも可能である。
【００３７】
【発明の効果】
以上説明したように、本発明によれば、トレイ体の設置面部への情報記録ディスクあるいはカセットの挿入方向（セット方向）をトレイ体を引き込む方向とは異なる方向にして、挿入のための力が引き込みに影響しないようにすることができるため、従来のように、セット途中において、トレイ体が不用意に過度に移動して引き込みが行われないようにするための負荷荷重を小さくすることが可能になり、トレイ体押し込みのための操作力を軽減することができるので、装着（セット）が容易であり、装置内部への引き込みが確実でかつ軽快に行えるなど、操作性に優れたローディング装置を提供することができる。しかも、セット状態において情報記録ディスクあるいはカセットは確実にトレイ体に保持されるため、脱落するようなことはない。
【図面の簡単な説明】
【図１】本発明の第１実施形態を説明するための情報記録ディスク・ローディング装置における要部を示す斜視図
【図２】第１実施形態におけるトレイ体にカセットをセットする作業を、トレイ体を縦に断面した状態で示した説明図
【図３】本発明の第２実施形態を説明するための情報記録ディスク・ローディング装置における要部を示す斜視図
【図４】本発明の第３実施形態を説明するための情報記録ディスク・ローディング装置における要部を示す側面図
【図５】図４に示す情報記録ディスク・ローディング装置の平面図
【図６】図４におけるホルダ体部分を示す拡大図
【図７】第３実施形態におけるトレイ体にカセットをセットする作業の説明図
【図８】従来の兼用ローディング方式のディスク／カセット設置部分における構成を示す斜視図
【図９】従来例におけるトレイ体の引き込みを説明するための説明図
【図１０】従来例におけるトレイ体におけるカセット保持の説明図
【符号の説明】
１  記録／再生装置
２  トレイ体の設置面部
３  トレイ体
３ａ  格納部
６  カセット
１２  受け爪部
１３，１５，２５  フック部
１４  窓部
２０  ホルダ体
２０ａ  ホルダ体の開口部
２２  ストッパ体
２３  回動支軸
２４  捩りバネ
２６  横溝
２７  押さえ突起
【図１】
0003731845.tif 000002
【図２】
0003731845.tif 000003
【図３】
0003731845.tif 000004
【図４】
0003731845.tif 000005
【図５】
0003731845.tif 000006
【図６】
0003731845.tif 000007
【図７】
0003731845.tif 000008
【図８】
0003731845.tif 000009
【図９】
0003731845.tif 000010
【図１０】
0003731845.tif 000011